(57)【要約】【課題】  犬や猫（以下、ペットと略称）が体調や病状合わせて安全に乗せられることができ、もたれ掛けてもペット自身の力で歩行ができ休息もできる、またリハビリと介護の時に労力の負担を軽減でき、かつ飼い主の労力も軽減できることを特徴とするペペット用万能ベッドを提供する。【解決手段】  一体構造と軽量を特徴とし、柔軟性とクッション性を兼ね備えたシンプルな構成で、ペットとがどの様な体調や病状でも安全に乗せられることができ、もたれ掛けてもペット自身の力で歩行ができ休息もできる、またリハビリと介護の時に労力の負担を軽減でき、かつ飼い主の労力も軽減できることを特徴とするペット用万能介護ベッドより解決された。【選択図】図１
2019150006.tif 000002
【特許請求の範囲】
【請求項１】
一体構造と軽量を特徴とし、柔軟性とクッション性を兼ね備えたシンプルな構成で、犬や猫（以下、ペットと略称）がどの様な体調や病状に合わせて安全に乗せられることができ、ペット自身の力で歩行ができ休息もできる、その時の体調に合わせた歩行とリハビリと介護ができる、かつ飼い主の労力も軽減できることを特徴とするペット用万能介護ベッド。
【請求項２】
フレーム全体に衝撃吸収材を設けてありペットにストレスを与えないように、かつ安全性にも配慮してあり、ペット自身何処に身体を預けても傷を負わないようにしてある、またペットの体調や体格に合わせて脱着のできる各ベルトにより調整もでき、またペットを載せたまま
飼い主が脱着可能なベルトを引いて移動やリハビリや介護もできるる特徴を用いている前記請求項１記載のペット用万能介護ベッド。
【請求項３】
ペットは小さい体格から大きい体格がいるようにこのベッドもペットの体格にあわせたメーンフレームと足フレームを用いる前記請求項１又は請求項２又のペット用万能介護ベッド。
【発明の詳細な説明】
【技術分野】
【０００１】一体構造と軽量を特徴とし、柔軟性とクッション性を兼ね備えたシンプルな構成で、犬や猫（以下、ペットと略称）が体調や病状に合わせて安全に乗せられることができ、ペット自身の力で歩行ができ休息もでき、その時の体調に合わせ歩行とリハビリと介護ができ、かつ飼い主の労力も軽減できることを特徴とするペット用万能介護ベッドに関する。
【背景技術】
【０００２】  従来のペット用ベッドや車いすは、飼い主主体の押す式の外出用のペットの介護用移動式や介護に特化したベッドやペットの後ろ脚を浮かしたり固定したりしてペット自身がけん引する車輪付きの車椅子を特徴したものがある。
【先行技術文献】
【特許文献】
【０００３】
【特許文献１】特開２００７−０７５０３５公報
【特許文献２】特開２００２−３４５３６０公報
【発明の概要】
【発明が解決しようとする課題】
【０００４】しかしながら従来からあるペット介護用ベッドは、ペット自身四つ足で立てないことを前提にベットが構成されいる特徴に課題がある、またペット介護用ベッドは飼い主が押す労力を必要とし、またペットの自由が損なわれ、飼い主の労力を必要とする複雑な構造用いている、また車輪付き車椅子や介護用移動式ベッドはペット自身がけん引する構造で前足で立っていることを前提とし疲れた時に休息ができない課題のあるペット用介護補助ベッドが開示されている。
【課題を解決するための手段】
【０００５】    本発明は上記課題を解決するために、請求項１は、一体構造と軽量を特徴とし、柔軟性とクッション性を兼ね備えたシンプルな構成で、犬や猫（以下、ペットと略称）が体調や病状合わせて安全に乗せられることができ、もたれ掛けてもペット自身の力で歩行ができ休息もでき、またその時の体調に合わせ歩行とリハビリと介護ができる、かつ飼い主が見て居なくても安心して居られ労力も軽減できることを特徴するペット用万能ベッドを提供するものであ。
また請求項２はフレーム全体に衝撃吸収材を設けてありペットにストレスを与えないように、かつ安全性にも配慮してあり、ペット自身何処に身体を預けても傷を負わないようにしてある、またペットの体調合わせて脱着できる各ベルトにより調整もできるよう用いていることを特徴とする前記請求項１記載のペット用万能ベッドを提供するものである。
また請求項３は
ベッドはペット自身の力歩で歩行と移動でき、また休息もできる構造を用いている、またペットを載せたまま飼い主が脱着可能なベルトを引いて歩行と移動もでき、またリハビリや介護ができる、前記請求項１又は請求項２記載のペット用万能ベッドを提供するものである。
また請求項３はペットは小さい体格から大きい体格がいるようにこのベッドもペットの体格にあわせたメーンフレームと足フレームを用いる前記請求項１又は請求項２又は請求項３記載のペット用万能介護ベッドを提供するものである。
【発明の効果】
【０００６】本発明は、上記に説明したように構成されているので、以下に示す効果が期待できる。【０００７】動物医療機関や動物介護施設やペット美容院や、またペットの飼い主やペット自身の労力の負担や精神的負担が軽減できる。【０００７】ベッド本体が軽量でできているため、ペットに違和感やストレスを軽減でき、また飼い主がベッドの移動も楽に行う事ができ、またベッドにペットを載せたまま楽に移動が行える。【０００８】ペット本来の姿勢で室内においては飼い主が側に居なくても自由に歩行ができ、また休息のときにはフレームにあごを載せたり中間Ｕ字フレームに身体を預けたりする事ができ、ストレスなく自由な行動をとらせることができる。【０００９】フレーム本体全体に衝撃吸収材を用いているので、痛みや傷を負わせることがなく安心してペットを載せられ、またシンプルな構造ななのでペットの乗り降りが楽に行える。【００１０】ペットの病気やケガのリハビリや介護に使え、またペットを載せたままシャンプーやカットができベッド自体も丸洗いする事できる、また排泄の時はブレーキを掛けておきベッドの下に吸収マットを引いて置けば飼い主の労力を軽減できる。【００１１】ペットの足、腰が不自由になって立てなくなった時、ペットが目を覚ましている時は、脱着式の各ベルトを装着しいちばん楽な体勢に調整してあげて、ベッドに載せて上げれば血行障害や床ずれを防止ができる。
【図面の簡単な説明】
【００１２】
【図１】本発明の使用状態図である。
【図２】本発明のベッド本体の斜視構造図である。
【図３】本発明の各ベルトを除いた前面図である。
【図４】本発明の各ベルトを除いた上面図である。
【図５】本発明の足フレームの構造図である。
【発明を実施するための形態】
【００１３】    本発明の実施の形態を図面にもとずいて説明する。
図１は本発明のペット用万能ベッドの実施例を示し、犬や猫（以下、ペットと省略）をベッドに乗せた状態での全体側面図を示す。図２はベッド本体の斜視図で構成を示す。ペットの体長、体高、体幅、胸からお尻までの体長、前足長さ、後ろ足の長さ、前足から後ろ足のおなかの長さの寸法をはかり余裕をもたせ構成する。２ベッド本体の構成は３メインフレームは体長に合わせた左右同じサイズ６本と４メインＵ字フレームは前後同じサイズ２本と５中間メインＵ字フレーム前後同じサイズ２本と１４接合Ｔ字継手は８個と連結し、６脚フレームは８ブレーキ付き回転キャスターは１個と１５キャップは１個と１６連結Ｌ字４５度継手は２個を連結した構成する、６脚フレーム４本を１４接合Ｔ字継手に連結する。７衝撃吸収パット材は全体に巻ける長さを巻き、リベット、ボルト、ビス、接着剤なので接合した一体の構造にした１ペット用万能ベッドが構成する。また構成素材は塩ビパイプ、アルミパイプ、炭素繊維と樹脂が混ざった複合材のパイプなどの素材で構成してもよい。また前記素材の一体成型の構成でもよい。図２の２ベッド本体は、ペット自身の体格、体重、体長、体幅、体高に合わせて長さ、幅、高さを構成する。５中間メインＵ字フレームも体格に合わせて構成が前後２カ所か中央１カ所で構成される。図５の６ａ脚フレームは体格の大きいペットに構成され６ｂ脚フレームは体格の小さいペット構成される。図５の６ａ，６ｂ脚フレームペットの体格に合わせて長さ、幅、高さが構成される。
図１の実施例では、９引きベルトと１０前部調整ベルトと１１中間調整ベルトと１２後部調整ベルトを備えて構成されている。
【００１４】本発明の実施の作用としては、図１で構成されている２ペット用万能ベッド本体は軽量かつ一体の構成で、柔軟性とクッション性を兼ね備え耐久性にも優れている。７衝撃吸収パット材はペットにケガや傷を負わないように柔軟性とくション性に作用している。７引きベルトは脱着式になっており飼い主が引いて移動やリハビリする時は装着してその他は外して置く。１０前部調整ベルト１１中間調整ベルト１２後部調整ベルトは脱着式になっておりペットの体調に合わせて各ベルトを装着して調整をする。１３上部調整ベルトは脱着式になっておりペットがベッドから降りないように装着する。また必要なければはずして置く。図３の各ベルトを除いた前面図はペットの前足、後ろ足のスペースが広く確保できるのがわかる。また６脚フレームは１ペット用万能ベッドにペットが乗るとその重量で６脚フレームが横に広がり安定と柔軟性とクッション性に作用する。図４は各ベルトを除いた上面図ではペットが乗るスペースが広い事がわかり乗り降りが楽にでき６脚フレームが外側に広がっているのでベッド全体に安定性と柔軟性とクッション性に作用する。
【００１５】本発明の実施例の効果として、ペットは高齢等ともに目の視力が悪くなり始め、その頃から手がかかり始め、またケガや病気においても飼い主の労力が増大していくため、ペットを１ペット用万能ベッドに乗せる事により、ペットと飼い主の労力とストレスを軽減できる。１ペット用万能ベットは軽量かつ一体の構成で、柔軟性とクッション性を兼ね備え耐久性が特徴で、ペット自身が押して歩行も楽に行え回転キャスターにより最小小回りで旋回ができる、またもたれ掛けてもペット自身の力で歩行ができ休息もできる、また飼い主もペットを乗せる時や持ち上げて移動する時も楽に行える。またフレーム全体に７衝撃吸収パット材を用いることによりペットにストレスを与えずリハビリや介護や病院の診察や、また美容院や自宅でのシャンプーにも安全に作業が行える。またペット自身も休息するときに４メインＵ字フレームにあごを載せてたり５中間メインＵ字フレームやその他のフレームに、もたれ掛けてもストレスなく安全に休息ができる。９引きベルトは脱着式で１ペット用万能ベッドを引くベルトで、散歩やリハビリに使える、使わない時は外して置く。１０前部ベルト、１１中間ベルト、１２後部ベルトは脱着調整式で、ペットの体格や体調や病状において必要に応じて各ベルトを取り付け調整する。１３上部調整ベルトは脱着式でペットがベッドから降りないように使用する、また体格に合わせて調整もでき使わないときは外して置く。車で移動する時はペットを１ペット用万能ベッドに乗せて後部座席またはラッケージスペースにベルトまたはロープ等で１ペット用万能ベッドを固定する、安心して移動が行える。また食事や病院の診察やシャンプー時においては８ブレーキ付きキャスターなので全キャスターのブレーキを掛けて置けば作業の効率が良くなりペットも安心できる。上記説明にて介護機関、医療機関、美容機関、個人介護、動物飼育において労力の軽減や作業効率に効果がある。
【産業上の利用可能性】
【００１６】  動物の医療機関や動物の介護施設や動物の美容機関およびペット全般に利用できる。
【符号の説明】
【００１７】１  ペット用万能ベッド
２  ベッド本体
３  メインフレーム
４  メインＵ字フレーム
５  中間メインＵフレーム
６  脚フレームａ
６  脚フレームｂ
７  弾力性吸収材
８  ブレーキ付き回転キャスター
９  引きベルト
１０前部調整ベルト
１１中間調整ベルト
１２後部調整ベルト
１３上部調整ベルト
１４接合Ｔ字継手
１５パイプキャップ
１６連結４５度継手
１７連結Ｌ字継手
【図１】
2019150006.tif 000003
【図２】
2019150006.tif 000004
【図３】
2019150006.tif 000005
【図４】
2019150006.tif 000006
【図５】
2019150006.tif 000007